(57)【要約】【課題】移動可能な中継装置を介して緊急通報を行う場合であっても、正確に、端末装置の位置情報を緊急機関に通知すること。【解決手段】端末装置とマクロセル基地局との間の通信を中継する中継装置の通信を制御する通信制御サーバであって、複数の異なるタイミングで、中継装置にて観測される１以上のマクロセル基地局の位置情報を含む基地局情報を取得する取得部と、基地局情報に基づいて中継装置の通信を制御する通信制御部と、を備え、通信制御部は、第１タイミングで取得部が取得した第１基地局情報と第２タイミングで取得部が取得した第２基地局情報とが異なる場合に中継装置と端末装置との間の通信を停止させる。【選択図】図１
2018026638.tif 000002
【特許請求の範囲】
【請求項１】
端末装置とマクロセル基地局との間の通信を中継する中継装置の通信を制御する通信制御サーバであって、
複数の異なるタイミングで、前記中継装置にて観測される１以上のマクロセル基地局の位置情報を含む基地局情報を取得する取得部と、
前記基地局情報に基づいて前記中継装置の通信を制御する通信制御部と、
を備え、
前記通信制御部は、第１タイミングで前記取得部が取得した第１基地局情報と第２タイミングで前記取得部が取得した第２基地局情報とが異なる場合に前記中継装置と前記端末装置との間の通信を停止させる、
通信制御サーバ。
【請求項２】
前記通信制御部は、前記中継装置と前記端末装置との間の通信が停止している場合であって、前記第１基地局情報と前記第２基地局情報とが共通するときに、前記中継装置と前記端末装置との間の通信を再開させる、
請求項１に記載の通信制御サーバ。
【請求項３】
前記第１タイミングは、前記中継装置の起動時であり、
前記第１基地局情報は、前記起動時における前記中継装置の設置位置に予め対応づけられているマクロセル基地局の基地局情報である、
請求項１又は２に記載の通信制御サーバ。
【請求項４】
前記取得部は、定期的に前記基地局情報を取得し、
前記第１基地局情報は前回取得された基地局情報であり、前記第２基地局情報は今回取得された基地局情報である、
請求項１又は２に記載の通信制御サーバ。
【請求項５】
端末装置とマクロセル基地局との間の通信を中継する中継装置の通信を制御する通信制御方法であって、
複数の異なるタイミングで、前記中継装置にて観測される１以上のマクロセル基地局の位置情報を含む基地局情報を取得するステップと、
前記基地局情報に基づいて前記中継装置の通信を制御するステップと、
を含み、
前記制御するステップは、第１タイミングで取得された第１基地局情報と第２タイミングで取得された第２基地局情報とが異なる場合に前記中継装置と前記端末装置との間の通信を停止させる、
通信制御方法。
【請求項６】
端末装置とマクロセル基地局との間の通信を中継する中継装置であって、
複数の異なるタイミングで、観測される１以上のマクロセル基地局の位置情報を含む基地局情報を取得し、
取得した前記基地局情報を在圏している前記端末装置に通知する、
中継装置。
【請求項７】
前回取得した第１基地局情報と今回取得した第２基地局情報とが異なる場合に、在圏している前記端末装置に前記第２基地局情報を通知する、
請求項６に記載の中継装置。
【請求項８】
端末装置とマクロセル基地局との間の通信を中継する中継方法であって、
複数の異なるタイミングで、観測される１以上のマクロセル基地局の位置情報を含む基地局情報を取得するステップと、
取得した前記基地局情報を在圏している前記端末装置に通知するステップと、
を含む、
中継方法。
【発明の詳細な説明】
【技術分野】
【０００１】
本発明は、通信制御サーバ、通信制御方法、中継装置、及び中継方法に関する。
【背景技術】
【０００２】
従来、建物内における、端末装置とマクロセル基地局との間の通信品質を確保するため、端末装置とマクロセル基地局との間に中継装置を介在させることが知られている。
【０００３】
これに関して、特許文献１及び２には、基地局と無線端末との間の通信を中継する中継装置であって、移動可能に構成されている中継装置を備える無線通信システムが開示されている。
【先行技術文献】
【特許文献】
【０００４】
【特許文献１】特開２０１４−３０１８６号公報
【特許文献２】特開２０１４−１３２７５７号公報
【発明の概要】
【発明が解決しようとする課題】
【０００５】
ところで、端末装置が緊急機関（例えば、警察や消防）に対して緊急通報を行う場合、端末装置は、現に中継装置に在圏しているマクロセル基地局を介して、端末装置の位置情報を含む緊急通報を行う。
【０００６】
上記のように移動可能に構成された中継装置を備える無線通信システムにおいては、中継装置の設置位置は開局前に予め通信事業者が定め、その住所情報に紐付いたトラッキングエリアコード（ＴＡＣ）、チャージングエリア(ＣＡ)およびエマージェンシー・サービス・ルーティング・ディジット（ＥＳＲＤ）等の情報が中継装置に付与される。中継装置がこれらの情報を端末装置に報知情報として通知することで、端末装置は自身のおおまかな位置を検知することができる。しかしながら、中継装置が移動し、他のトラッキングエリア（ＴＡ）内に属することになると、通信事業者が把握しているＴＡ内に中継装置が存在しないことになり、中継装置の設置位置を把握できないので、当該中継装置と通信する端末装置の位置も把握できなくなる。
【０００７】
このように、コアネットワークにおいては、中継装置が当初のＴＡ内に引き続き存在しているものと管理されているので、他のＴＡに属する中継装置と通信する端末装置から緊急通報があったとしても、緊急車両の向かう先には、中継装置は存在しない。このように、緊急機関は、緊急通報を行った無線端末の位置を正確に把握できず、緊急機関の初動対応に遅れが生じるという問題があった。
【０００８】
本発明は、上記の事情に鑑みてなされたものであり、移動可能な中継装置を介して緊急通報を行う場合であっても、正確に、端末装置の位置情報を緊急機関に通知することを目的の一つとする。
【課題を解決するための手段】
【０００９】
本発明の一側面に係る通信制御サーバは、端末装置とマクロセル基地局との間の通信を中継する中継装置の通信を制御する通信制御サーバであって、複数の異なるタイミングで、中継装置にて観測される１以上のマクロセル基地局の位置情報を含む基地局情報を取得する取得部と、基地局情報に基づいて中継装置の通信を制御する通信制御部と、を備え、通信制御部は、第１タイミングで取得部が取得した第１基地局情報と第２タイミングで取得部が取得した第２基地局情報とが異なる場合に中継装置と端末装置との間の通信を停止させる。
【００１０】
上記通信制御サーバにおいて、通信制御部は、中継装置と端末装置との間の通信が停止している場合であって、第１基地局情報と第２基地局情報とが共通するときに、中継装置と端末装置との間の通信を再開させてもよい。
【００１１】
上記通信制御サーバにおいて、第1タイミングは、中継装置の起動時であり、第１基地局情報は、起動時における中継装置の設置位置に予め対応づけられているマクロセル基地局の基地局情報であってもよい。
【００１２】
上記通信制御サーバにおいて、取得部は、定期的に基地局情報を取得し、第１基地局情報は前回取得された基地局情報であり、第２基地局情報は今回取得された基地局情報であってもよい。
【００１３】
本発明の一側面に係る通信制御方法は、端末装置とマクロセル基地局との間の通信を中継する中継装置の通信を制御する通信制御方法であって、複数の異なるタイミングで、中継装置にて観測される１以上のマクロセル基地局の位置情報を含む基地局情報を取得するステップと、基地局情報に基づいて中継装置の通信を制御するステップと、を含み、制御するステップは、第１タイミングで取得された第１基地局情報と第２タイミングで取得された第２基地局情報とが異なる場合に中継装置と端末装置との間の通信を停止させる。
【００１４】
本発明の一側面に係る中継装置は、端末装置とマクロセル基地局との間の通信を中継する中継装置であって、複数の異なるタイミングで、観測される１以上のマクロセル基地局の位置情報を含む基地局情報を取得し、取得した基地局情報を在圏している端末装置に通知する。
【００１５】
本発明の一側面に係る中継方法は、端末装置とマクロセル基地局との間の通信を中継する中継方法であって、複数の異なるタイミングで、観測される１以上のマクロセル基地局の位置情報を含む基地局情報を取得するステップと、取得した基地局情報を在圏している端末装置に通知するステップと、を含む。
【発明の効果】
【００１６】
本発明によれば、移動可能な中継装置を介して緊急通報を行う場合であっても、正確に、端末装置の位置情報を緊急機関に通知することができる。
【図面の簡単な説明】
【００１７】
【図１】本発明の実施形態に係る移動体通信システムの模式図。
【図２】本発明の実施形態に係るフェムト・コアネットワーク（Ｆｅｍｔｏ  Ｃｏｒｅ  Ｎｅｔｗｏｒｋ）の構成図。
【図３】本発明の第１実施形態に係る通信制御処理の手順を説明するシーケンス図。
【図４】本発明の第２実施形態に係る通信制御処理の手順を説明するシーケンス図。
【発明を実施するための形態】
【００１８】
以下、図面を参照して、本発明に係る一つの実施形態を説明する。ただし、以下に説明する実施形態は、あくまでも例示であり、以下に明示しない種々の変形や技術の適用を排除する意図はない。すなわち、本発明は、その趣旨を逸脱しない範囲で種々変形して実施することができる。また、一連の図面の記載において、同一または類似の部分には同一または類似の符号を付して表している。
【００１９】
〔移動体通信システムの構成〕
図１は、本発明の実施形態に係るフェムトセル基地局（中継装置）を含む移動体通信システムの構成図である。本実施形態に係る移動体通信システム１００は、例示的に３ＧＰＰにより規格されているＬＴＥ方式の移動体通信システムであり、無線ネットワーク（Ｒａｄｉｏ  Ｎｅｔｗｏｒｋ）と、コアネットワーク（Ｃｏｒｅ  Ｎｅｔｗｏｒｋ）と、を備える。無線ネットワークの構成、及び、コアネットワークの構成について、以下において順に説明する。
【００２０】
（無線ネットワークの構成）
図１に示すように、移動体通信システム１００は、無線ネットワークに係る構成として、端末装置１０、中継装置２０、及びドナー基地局（マクロセル基地局）３０を備える。なお、無線ネットワークは、ＬＴＥ方式では、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と呼ばれている。
【００２１】
端末装置１０は、例えばスマートフォン、携帯電話等の移動携帯通信端末であり、ＵＥ（Ｕｓｅｒ  Ｅｑｕｉｐｍｅｎｔ）とも呼ばれる。図１には、中継装置２０が形成するセル（通信可能範囲）に在圏し、中継装置２０に接続している端末装置１０ａと、ドナー基地局３０が形成するセルに在圏し、ドナー基地局３０に接続している端末装置１０ｂとが示されている。以下、端末装置１０ａと端末装置１０ｂとを総称するときには端末装置１０と表記する。
【００２２】
中継装置２０は、移動可能であり、ＲｅＮＢ（Ｒｅｐｅａｔｅｒ  ｔｙｐｅ  ｅＮｏｄｅＢ）とも呼ばれ、無線ネットワークにおける一つのノードを構成する。
【００２３】
中継装置２０は、アクセス・ノード（Ａｃｃｅｓｓ  Ｎｏｄｅ）２２とリレー・ノード（Ｒｅｌａｙ  Ｎｏｄｅ）２４とを含んで構成される。
【００２４】
アクセス・ノード２２は、フェムト基地局とも呼ばれ、端末装置１０ａとの無線通信を確立し、端末装置１０ａに対しパケット通信サービス（例えば音声パケット通信サービス、マルチメディアサービス等）を提供する。アクセス・ノード２２と端末装置１０ａとの間の無線通信を、アクセスリンク（ＡＣ：Ａｃｃｅｓｓ  Ｌｉｎｋ）とも呼ぶ。アクセス・ノード２２が形成するセルは、そのセルサイズがドナー基地局３０よりも小規模であり、半径数メートルから数十メートルの通信エリアを構築する。
【００２５】
アクセス・ノード２２は、リレー・ノード２４を介してドナー基地局３０との間で無線通信を確立する。リレー・ノード２４は、ＣＰＥ（Ｃｕｓｔｏｍｅｒ  Ｐｒｅｍｉｓｅｓ  Ｅｑｕｉｐｍｅｎｔ）とも呼ばれる。リレー・ノード２４とドナー基地局３０との間の無線通信を、バックホール（ＢＨ：Ｂａｃｋｈａｕｌ）とも呼ぶ。
【００２６】
なお、アクセス・ノード２２とリレー・ノード２４とは、別個のノードとして構成されていてもよい。別個に構成した場合、リレー・ノード２４が本発明に係る中継装置としての役割を担うこととなる。
【００２７】
ドナー基地局３０は、Ｄｏｎｏｒ  ｅＮＢ（Ｄｏｎｏｒ  ｅＮｏｄｅＢ）とも呼ばれ、リレー・ノード２４を介してアクセス・ノード２２との間で無線通信を確立する。ドナー基地局３０は、半径数百メートルから十数キロメートルの通信エリアを構築する。以下、ドナー基地局３０ｂとドナー基地局３０ｃとを総称するときにはドナー基地局３０と表記する。
【００２８】
（コアネットワークの構成）
図１に示すように、移動体通信システム１００は、コアネットワークに係る構成として、第１コアネットワークＥＰＣ（Ｅｖｏｌｖｅｄ  Ｐａｃｋｅｔ  Ｃｏｒｅ）４０、フェムト・コアネットワーク（Ｆｅｍｔｏ  Ｃｏｒｅ  Ｎｅｔｗｏｒｋ）５０（通信制御サーバ）、及び第２コアネットワークＥＰＣ６０を備える。なお、本実施形態では、第１コアネットワークＥＰＣ４０と第２コアネットワークＥＰＣ６０とを備えるものとして説明するが、コアネットワークＥＰＣは一つで構成してもよい。
【００２９】
第１コアネットワークＥＰＣ４０は、例えば、ドナー基地局３０に接続し、ドナー基地局３０を介して個々の端末装置１０の移動管理、認証、パケット通信データ経路の設定処理を管理する機能、及び無線ネットワークにおける品質管理を実施する機能を有する。
【００３０】
フェムト・コアネットワーク５０は、中継装置２０に関する各種の管理を行うネットワークである。フェムト・コアネットワーク５０は、例えば、フェムトＯＡＭ（Ｆｅｍｔｏ  Ｏｐｅｒａｔｉｏｎｓ  Ａｄｍｉｎｉｓｔｒａｔｉｏｎ  Ｍａｉｎｔｅｎａｃｅ）５２に接続され、中継装置２０の運用、管理、保守を行う機能を有する。
【００３１】
第２コアネットワークＥＰＣ６０は、例えば、移動通信サービスを提供するために呼の接続を制御することやサービスを制御する機能、インターネット７０等の外部のネットワークから無線ネットワーク内の契約加入者、又は無線ネットワーク内にローミング中の加入者に対する呼を受ける交換局としての機能、第２コアネットワークＥＰＣ６０内で個々の端末装置１０の移動管理、認証、パケット通信データ経路の設定処理を管理する機能、及び品質管理等の通信ポリシー制御や課金規約に基づく制御を実行する機能を有する。
【００３２】
ここで、コアネットワークは、中継装置２０の設置位置を、例えば以下の方法で管理する。コアネットワークは、中継装置２０が、例えばドナー基地局３０ｂが形成するセル、及び、ドナー基地局３０ｃが形成するセルから構成されるトラッキングエリアＴＡ（Ｔｒａｃｋｉｎｇ  Ａｒｅａ）（第１ＴＡ）に在圏する場合は、当該第１ＴＡに在圏するものとして、中継装置２０の設置位置を登録し、管理する。他方、中継装置２０が移動することによって、第１ＴＡを出て、例えばドナー基地局３０ｃが形成するセル、及び、ドナー基地局３０ｄが形成するセルから構成される第２ＴＡに新たに在圏することになった場合は、第２ＴＡに在圏するものとして、中継装置２０の設置位置を登録（更新）し、管理する。なお、ＴＡは、複数のドナー基地局が形成する各セルが重複する範囲に対応するエリアであってもよいし、複数のドナー基地局が形成する各セルそれぞれの範囲に対応するエリアであってもよいし、単一のドナー基地局が形成するセルに対応するエリアであってもよい。
【００３３】
図２は、本発明の実施形態に係るフェムト・コアネットワーク５０の構成図である。図２に示すように、フェムト・コアネットワーク５０は、例示的に、中継装置２０と端末装置１０ａとの間の通信を制御するための情報処理を行う情報処理部５０１と、後述する情報取得部５０５が取得した基地局情報を記録する基地局情報記録部５０３と、を備える。情報処理部５０１は、機能的に、情報取得部５０５（取得部）と、通信制御部５０７と、を備える。
【００３４】
情報取得部５０５は、複数の異なるタイミングで中継装置２０にて観測される１以上のドナー基地局３０の位置情報を含む基地局情報を取得する。例えば、基地局情報は、ドナー基地局３０の位置情報である、ＴＡＣ（Ｔｒａｃｋｉｎｇ  Ａｒｅａ  Ｃｏｄｅ）、ＣＡ（Ｃｈａｒｇｉｎｇ  Ａｒｅａ）、ＥＳＲＤ（Ｅｍｅｒｇｅｎｃｙ  Ｓｅｒｖｉｃｅ  Ｒｏｕｔｉｎｇ  Ｄｉｇｉｔｓ）等と、ドナー基地局３０の識別情報であるＥＣＧＩ（Ｅ−ＵＴＲＡＮ  Ｃｅｌｌ  Ｇｌｏｂａｌ  ＩＤ）と、を含む情報であってもよい。ここで、ＴＡＣは、移動体通信システムにおけるＴＡを識別する情報であり、１つのＴＡに対して固有のＴＡＣが割当てられる。ＣＡは、移動体通信システムにおいて通信事業者間で共通の単位料金区域であり、所定のエリア（例えば東京、仙台等）ごとに設定されている。ＥＳＲＤは、移動体通信システムにおいて緊急機関への通報用に使用される番号であり、発信元の基地局、セル等を識別可能な番号である。
【００３５】
通信制御部５０７は、１以上のドナー基地局３０の位置情報を含む基地局情報に基づいて中継装置２０の通信を制御する。例えば、通信制御部５０７は、第１タイミングで情報取得部５０５が取得した、１以上のドナー基地局３０の位置情報を含む第１基地局情報と、第２タイミングで情報取得部５０５が取得した、１以上のドナー基地局３０の位置情報を含む第２基地局情報と、が異なる場合に、中継装置２０が第１基地局情報に基づくＴＡから移動したと判断し、中継装置２０と端末装置１０ａとの間の通信を停止させる。
【００３６】
〔通信制御処理〕
＜第１実施形態＞
図３は、本発明の第１実施形態に係る、中継装置２０と端末装置１０との間の通信を制御する通信制御処理の手順を説明するシーケンス図である。
第１実施形態に係る通信制御処理の概要は以下のとおりである。中継装置２０は、選択可能な周波数帯域すべてを使って周辺のドナー基地局の識別情報（ＥＣＧＩ）や位置情報を取得してリスト化して、フェムト・コアネットワーク５０に対して送信する。そして、フェムト・コアネットワーク５０は、リストに記録されたドナー基地局の識別情報が異なったら、中継装置２０が移動したと判断し、中継装置２０の通信を制御する。以下で、第１実施形態に係る通信制御処理の詳細を説明する。
【００３７】
当該通信制御処理フローにおいて、前提として、移動体通信システムのユーザは、例えば、ネットワークの所定のサイトから、本発明の実施形態に係る通信制御処理アプリケーションソフトウェアをダウンロードし、フェムト・コアネットワーク５０に実行可能なように保存しておく。そして、ユーザにより通信制御処理アプリケーションソフトウェアの実行が指示されると、通信制御処理アプリケーションソフトウェアに基づくプログラム動作が開始する。なお、中継装置２０においても、移動体通信システムの要素として適切に作動するように事前にアプリケーションソフトウェアを実行する。
【００３８】
また、当該通信制御処理フローにおいては、前提として、図１に示す端末装置１０ａは、中継装置２０と通信し、例えば中継装置２０に観測されるドナー基地局３０ｂ又はドナー基地局３０ｃを介して、外部ネットワークと通信する。
【００３９】
（ステップＳ１）
中継装置２０は、中継装置２０に観測されるドナー基地局３０ｂ及びドナー基地局３０ｃの識別情報と位置情報とを取得する。
【００４０】
（ステップＳ３）
中継装置２０は、取得した、ドナー基地局３０ｂ及びドナー基地局３０ｃの識別情報と位置情報とに基づいて、中継装置２０の周囲に配置されているドナー基地局の一覧を示すドナー基地局リスト（第１基地局情報）を生成する。
【００４１】
（ステップＳ５）
図２に示す、フェムト・コアネットワーク５０の情報取得部５０５は、第１タイミングで、ドナー基地局リストを取得する。
【００４２】
なお、第1タイミングは、中継装置２０の起動時を含む。この場合、第１基地局情報は、中継装置２０の起動時における中継装置２０の設置位置に予め対応づけられているドナー基地局の基地局情報を含む。
【００４３】
（ステップＳ７）
その後、所定の位置に移動した中継装置２０は、中継装置２０にて観測されるドナー基地局３０ｃ及びドナー基地局３０ｄの識別情報と位置情報とを取得する。ここで、中継装置２０が移動したことにより、ドナー基地局３０ｂが中継装置２０にて観測されなくなったため、ステップＳ３において取得できた、ドナー基地局３０ｂの位置情報を取得することはできない。
【００４４】
（ステップＳ９）
中継装置２０は、取得した、ドナー基地局３０ｃ及びドナー基地局３０ｄの位置情報に基づいて、中継装置２０の周辺に配置されているドナー基地局の一覧を示すドナー基地局リスト（第２基地局情報）を生成する。
【００４５】
（ステップＳ１１）
情報取得部５０５は、第２タイミングで、ドナー基地局リストを取得する。
【００４６】
（ステップＳ１３）
通信制御部５０７は、第１タイミングで情報取得部５０５が取得した、ドナー基地局３０ｃリスト（第１基地局情報）と、第２タイミングで情報取得部５０５が取得した、ドナー基地局３０ｂリスト（第２基地局情報）と、は異なるので、中継装置２０と端末装置１０ａとの間の通信を停止させる。例えば、通信制御部５０７は、ドナー基地局３０ｂ及びドナー基地局３０ｃを含むドナー基地局リストと、ドナー基地局３０ｃ及びドナー基地局３０ｄを含むドナー基地局リストと、が異なるので、中継装置２０が移動したと判断し、中継装置２０に対して、中継装置２０と端末装置１０ａとの間の通信を停止させるための制御信号を送信する。
【００４７】
（ステップＳ１５）
中継装置２０は、フェムト・コアネットワーク５０から制御信号を受信すると、端末装置１０ａとの間の通信を停止する。
【００４８】
他方、中継装置２０が移動したとしても、通信制御部５０７が、情報取得部５０５が取得する第１基地局情報と第２基地局情報とが共通すると判断する場合は、中継装置２０と端末装置１０ａとの間の通信は継続する。
【００４９】
なお、上記では図３を用いて、中継装置２０と端末装置１０ａとの間の通信を停止する通信制御処理を説明したが、フェムト・コアネットワーク５０は、中継装置２０と端末装置１０ａとの間の通信を再開することもできる。つまり、図２に示す通信制御部５０７は、中継装置２０と端末装置１０ａとの間の通信が停止している場合であって、第１基地局情報と第２基地局情報とが共通するときに、中継装置２０と端末装置１０ａとの間の通信を再開させる。この場合、通信制御部５０７は、中継装置２０に対して、中継装置２０と端末装置１０ａとの間の通信を再開させるための制御信号を送信する。
【００５０】
また、情報取得部５０５は、定期的に第１基地局情報及び第２基地局情報を取得してもよい。この場合、第１基地局情報は前回取得された基地局情報であり、第２基地局情報は今回取得された基地局情報であってもよい。
【００５１】
＜第２実施形態＞
第２実施形態においては、中継装置２０（中継装置）において、中継装置２０と端末装置１０との間の通信を制御する点で、フェムト・コアネットワーク５０（通信制御サーバ）において、中継装置２０と端末装置１０との間の通信を制御する第１実施形態とは異なる。換言すると、第２実施形態においては、無線ネットワークのみにおいて通信制御処理が行われるのに対して、第１実施形態においては、無線ネットワーク及びコアネットワークの両ネットワークにおいて通信制御処理が行われる。
【００５２】
図４は、本発明の第２実施形態に係る、中継装置２０と端末装置１０との間の通信を制御する通信制御処理の手順を説明するシーケンス図である。
【００５３】
当該通信制御処理フローにおいて、前提として、移動体通信システムのユーザは、例えば、ネットワークの所定のサイトから、本発明の実施形態に係る通信制御処理アプリケーションソフトウェアをダウンロードし、中継装置２０に実行可能なように保存しておく。そして、ユーザにより通信制御処理アプリケーションソフトウェアの実行が指示されると、通信制御処理アプリケーションソフトウェアに基づくプログラム動作が開始する。
【００５４】
また、当該通信制御処理フローにおいては、前提として、端末装置１０ａは、中継装置２０と通信し、中継装置２０にて観測されるドナー基地局３０ｂ又はドナー基地局３０ｃを介して、外部ネットワークと通信する。なお、中継装置２０は、通信を開始する際に、中継装置２０にて観測されるドナー基地局３０ｂ及びドナー基地局３０ｃの識別情報と位置情報とを含む基地局情報を予め取得している。
【００５５】
（ステップＳ２１）
中継装置２０は、中継装置２０にて観測されるドナー基地局３０ｂ及びドナー基地局３０ｃの識別情報と位置情報とを含む基地局情報を取得する。ここで、基地局情報を、中継装置２０の周辺に配置されているドナー基地局の一覧を示すドナー基地局リストとして、リスト化してもよい。
【００５６】
（ステップＳ２３）
中継装置２０は、ステップＳ２１で取得した、中継装置２０にて観測されるドナー基地局３０ｂ及びドナー基地局３０ｃの基地局情報と、通信を開始する際に、予め取得していた、中継装置２０にて観測されたドナー基地局３０ｂ及びドナー基地局３０ｃの基地局情報と、を比較する。ここで、両基地局情報は、共通するので、中継装置２０は、両基地局情報は相違しないと判定する。
【００５７】
（ステップＳ２５）
その後、所定の位置に移動した中継装置２０は、中継装置２０にて観測されるドナー基地局３０ｃ及びドナー基地局３０ｄの識別情報と位置情報とを取得する。ここで、中継装置２０が移動したことにより、ドナー基地局３０ｂが中継装置２０にて観測されなくなったため、ステップＳ２１において取得できた、ドナー基地局３０ｂの識別情報と位置情報とを取得することができない。
【００５８】
（ステップＳ２７）
中継装置２０は、ステップＳ２５で取得した、中継装置２０にて観測されたドナー基地局３０ｃ及びドナー基地局３０ｄの基地局情報と、ステップＳ２１で取得した、中継装置２０にて観測されたドナー基地局３０ｂ及びドナー基地局３０ｃの基地局情報と、を比較する。ここで、両基地局情報は、異なるので、中継装置２０は、中継装置２０が移動したと判断する。
【００５９】
（ステップＳ２９）
中継装置２０は、両基地局情報が異なる場合に、ステップＳ２５で取得した、中継装置２０にて観測されたドナー基地局３０ｃ及びドナー基地局３０ｄの基地局情報を、端末装置１０ａに通知する。
【００６０】
〔効果〕
以上説明したように、本発明の第１実施形態によれば、通信制御部５０７は、第１タイミングで情報取得部５０５が取得した第１基地局情報と第２タイミングで情報取得部５０５が取得した第２基地局情報とが異なる場合に中継装置２０と端末装置１０との間の通信を停止させる。よって、移動可能な中継装置２０を介して緊急通報を行う場合であっても、正確に、端末装置１０の位置情報を緊急機関に通知することができる。
【００６１】
本発明の第２実施形態によれば、中継装置２０は、複数の異なるタイミングで観測される１以上のドナー基地局３０の位置情報を含む基地局情報を取得し、取得した基地局情報を在圏している端末装置１０に通知する。よって、移動可能な中継装置２０を介して緊急通報を行う場合であっても、正確に、端末装置１０の位置情報を緊急機関に通知することができる。
【００６２】
〔その他の実施の形態〕
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。
【００６３】
上記実施形態では、ＬＴＥ規格の移動体通信システムを例示して説明したが、これに限定されず、他の通信規格や将来的に制定される通信規格に対しても本発明を適用可能である。
【００６４】
また、本発明の実施形態に係るフェムト・コアネットワーク５０が備える基地局情報記録部５０３、情報取得部５０５、及び通信制御部５０７の少なくとも一つの構成は、第１コアネットワークＥＰＣ４０、又は、第２コアネットワークＥＰＣ６０が備えていてもよい。
【符号の説明】
【００６５】
１０…端末装置
２０…中継装置
２２…アクセス・ノード
２４…リレー・ノード
３０…ドナー基地局（マクロセル基地局）
４０…第１コアネットワークＥＰＣ
５０…フェムト・コアネットワーク
６０…第２コアネットワークＥＰＣ
１００…移動体通信システム
５０１…情報処理部
５０３…基地局情報記録部
５０５…情報取得部
５０７…通信制御部
【図１】
2018026638.tif 000003
【図２】
2018026638.tif 000004
【図３】
2018026638.tif 000005
【図４】
2018026638.tif 000006